(57)【要約】      （修正有）【課題】表示されることが好ましくないコンテンツが表示装置に表示されるという事態を回避しつつ、ユーザの利便性を向上させることができる通信装置等を提供する。【解決手段】スマートフォン１０は、テレビ３０から、当該テレビ３０を識別可能な識別情報２を取得する識別情報取得部５１と、当該識別情報２により識別されるテレビ３０において、表示されることが許可されているコンテンツ１ｂを、許可コンテンツ１ｃとして取得するコンテンツ取得部５３と、当該許可コンテンツ１ｃを、テレビ３０に送出するコンテンツ送出部５４ａとを備えた。【選択図】図１
2014204400.tif 000002
【特許請求の範囲】
【請求項１】
所定のコンテンツを受信可能な通信装置であって、
当該通信装置と通信可能に接続された表示装置から、当該表示装置を識別可能な識別情報を取得する識別情報取得手段と、
前記識別情報取得手段によって取得された識別情報により識別される表示装置において、表示されることが許可されているコンテンツを、許可コンテンツとして取得するコンテンツ取得手段と、
前記コンテンツ取得手段によって取得された許可コンテンツを、前記表示装置に送出する第１のコンテンツ送出手段とを備えたことを特徴とする通信装置。
【請求項２】
前記識別情報取得手段によって取得された識別情報により識別される表示装置において表示されることが許可されているか否かを、コンテンツごとに判定する第１の許否判定手段をさらに備え、
前記コンテンツ取得手段は、前記第１の許否判定手段によって許可されていると判定されたコンテンツを、前記許可コンテンツとして取得することを特徴とする請求項１に記載の通信装置。
【請求項３】
前記第１の許否判定手段は、前記表示装置が通信可能に接続された時、前記通信装置が備えた表示部に現在表示されているコンテンツが、当該表示装置において表示されることが許可されているか否かを判定し、
前記コンテンツ取得手段は、前記第１の許否判定手段によって許可されていないと判定される場合、当該表示装置において表示されることが許可されているコンテンツを、許可コンテンツとして取得し、
前記第１のコンテンツ送出手段は、前記コンテンツ取得手段によって取得された許可コンテンツを前記表示装置に表示させるために、当該許可コンテンツを当該表示装置に送出することを特徴とする請求項２に記載の通信装置。
【請求項４】
前記第１のコンテンツ送出手段によって送出された許可コンテンツを識別可能なコンテンツ識別情報を、所定の外部装置に送出する識別情報送出手段をさらに備えたことを特徴とする請求項１から３のいずれか１項に記載の通信装置。
【請求項５】
所定のコンテンツを配信可能なサーバであって、
当該サーバと通信可能に接続された通信装置から、当該通信装置と通信可能に接続された表示装置において、所定のコンテンツを表示することが許可されていることを示す許可情報を取得する許可情報取得手段と、
前記許可情報取得手段によって取得された許可情報により許可されていることが示される場合、前記所定のコンテンツを許可コンテンツと判定する第２の許否判定手段と、
前記第２の許否判定手段によって判定された許可コンテンツを、前記通信装置に送出する第２のコンテンツ送出手段とを備えたことを特徴とするサーバ。
【請求項６】
請求項１から４のいずれか１項に記載の通信装置と、
請求項５に記載のサーバと、
前記通信装置と通信可能に接続され、前記サーバから配信されたコンテンツを表示可能な表示面を備えた表示装置とを含むことを特徴とするコンテンツ配信システム。
【請求項７】
所定のコンテンツを受信可能な通信装置の制御方法であって、
当該通信装置と通信可能に接続された表示装置から、当該表示装置を識別可能な識別情報を取得する識別情報取得ステップと、
前記識別情報取得ステップにおいて取得した識別情報により識別される表示装置において、表示されることが許可されているコンテンツを、許可コンテンツとして取得するコンテンツ取得ステップと、
前記コンテンツ取得ステップにおいて取得した許可コンテンツを、前記表示装置に送出する第１のコンテンツ送出ステップとを含むことを特徴とする通信装置の制御方法。
【請求項８】
請求項１から４のいずれか１項に記載の通信装置としてコンピュータを機能させるための制御プログラムであって、コンピュータを前記各手段として機能させるための制御プログラム。
【発明の詳細な説明】
【技術分野】
【０００１】
本発明は、所定のコンテンツを受信可能な通信装置等に関するものである。
【背景技術】
【０００２】
コンテンツを配信するシステムは、従来から広く研究されてきた。例えば、下記の特許文献１には、テレビ等の表示装置において、携帯機器を手にとって操作することなく、携帯機器が実行すべき通信処理を実行することを可能にする表示装置が開示されている。また、下記の特許文献２には、テレビジョン受像機に対する操作を不要として操作の煩雑さを解消した携帯型電子機器が開示されている。特許文献３には、多くの視聴者に高い満足度を与え得る双方向情報伝達方法が開示されている。
【０００３】
下記の特許文献４には、携帯型電子装置からの情報を、当該携帯型電子装置から離れたビデオスクリーンに表示することができる方法が開示されている。特許文献５には、手軽に電子メールを利用できるようにするともに、画像、音声等の大量の情報も利用することができる電子メールサービスシステムが開示されている。特許文献６には、電子広告サービスの効率的な提供を可能にする広告表示システムが開示されている。
【先行技術文献】
【特許文献】
【０００４】
【特許文献１】特開２０１１−２４４４１６号公報（２０１１年１２月１日公開）
【特許文献２】特開２００８−１０９３４１号公報（２００８年５月８日公開）
【特許文献３】特開２００３−２３４７０９号公報（２００３年８月２２日公開）
【特許文献４】特開２００６−５２３４１１号公報（２００６年１０月１２日公開）
【特許文献５】特開平１１−３２８０５６号公報（１９９９年１１月３０日公開）
【特許文献６】特開２００８−２９８９０２号公報（２００８年１２月１１日公開）
【発明の概要】
【発明が解決しようとする課題】
【０００５】
例えば、成人向けのコンテンツ、暴力的な内容を含むコンテンツ、特定の思想に偏った内容を含むコンテンツ、その他社会通念上好ましくないと考えられるコンテンツを、家庭のリビングに設置されたテレビなど、家庭内においてパブリックな用途を有する表示装置に表示させることは好ましくない。しかし、上記コンテンツを配信するシステムにおいて、サーバから配信されるコンテンツには上記好ましくないものが含まれる場合がある。上記特許文献１〜６に開示された従来技術は、上記のような好ましくない事態を回避する仕組みを備えておらず、コンテンツを配信するシステムの利便性を、大きく損ねていた。
【０００６】
本発明は、上記の問題点に鑑みてなされたものであり、その目的は、表示されることが好ましくないコンテンツが表示装置に表示されるという事態を回避しつつ、ユーザの利便性を向上させることができる通信装置等を提供することである。
【課題を解決するための手段】
【０００７】
上記の課題を解決するために、本発明の一態様に係る通信装置は、所定のコンテンツを受信可能な通信装置であって、当該通信装置と通信可能に接続された表示装置から、当該表示装置を識別可能な識別情報を取得する識別情報取得手段と、前記識別情報取得手段によって取得された識別情報により識別される表示装置において、表示されることが許可されているコンテンツを、許可コンテンツとして取得するコンテンツ取得手段と、前記コンテンツ取得手段によって取得された許可コンテンツを、前記表示装置に送出する第１のコンテンツ送出手段とを備えている。
【０００８】
また、上記の課題を解決するために、本発明の一態様に係る通信装置の制御方法は、所定のコンテンツを受信可能な通信装置の制御方法であって、当該通信装置と通信可能に接続された表示装置から、当該表示装置を識別可能な識別情報を取得する識別情報取得ステップと、前記識別情報取得ステップにおいて取得した識別情報により識別される表示装置において、表示されることが許可されているコンテンツを、許可コンテンツとして取得するコンテンツ取得ステップと、前記コンテンツ取得ステップにおいて取得した許可コンテンツを、前記表示装置に送出する第１のコンテンツ送出ステップとを含んでいる。
【０００９】
また、上記の課題を解決するために、本発明の一態様に係るサーバは、所定のコンテンツを配信可能なサーバであって、当該サーバと通信可能に接続された通信装置から、当該通信装置と通信可能に接続された表示装置において、所定のコンテンツを表示することが許可されていることを示す許可情報を取得する許可情報取得手段と、前記許可情報取得手段によって取得された許可情報により許可されていることが示される場合、前記所定のコンテンツを許可コンテンツと判定する第２の許否判定手段と、前記第２の許否判定手段によって判定された許可コンテンツを、前記通信装置に送出する第２のコンテンツ送出手段とを備えている。
【発明の効果】
【００１０】
本発明の一態様によれば、通信装置および当該通信装置の制御方法は、表示装置が設置された環境において表示されることが好ましくないコンテンツを除外することによって、上記コンテンツが表示されるという事態を回避して、ユーザの利便性を向上させることができるという効果を奏する。
【００１１】
また、本発明の一態様によれば、サーバは、表示装置が設置された環境において表示されることが好ましくないコンテンツを除外することによって、上記コンテンツが表示されるという事態を回避して、ユーザの利便性を向上させることができるという効果を奏する。
【図面の簡単な説明】
【００１２】
【図１】本発明の第１の実施の形態に係るスマートフォンの要部構成を示すブロック図である。
【図２】本発明の第１の実施の形態に係るサーバの要部構成を示すブロック図である。
【図３】本発明の第１の実施の形態に係るコンテンツ配信システムの概要を示す概略図である。
【図４】上記スマートフォンが用いる各種テーブルの具体例を示す表であり、（ａ）は、コンテンツに含まれるコンテンツ情報を格納するテーブルの一例を示し、（ｂ）は、テレビを識別可能な識別情報を格納するテーブルの一例を示し、（ｃ）は、上記スマートフォンが備えた記憶部に格納されている許可設定テーブルの一例を示し、（ｄ）は、当該テレビにおいて現在表示されているコンテンツのコンテンツ情報を格納するテーブルの一例を示す。
【図５】上記コンテンツ配信システムにおいて実行される処理の一例を示すフローチャートである。
【図６】本発明の第２の実施の形態に係るスマートフォンの要部構成を示すブロック図である。
【図７】本発明の第２の実施の形態に係るサーバの要部構成を示すブロック図である。
【図８】本発明の第２の実施の形態に係るコンテンツ配信システムにおいて実行される処理の一例を示すフローチャートである。
【図９】本発明の第３の実施の形態に係るスマートフォンの要部構成を示すブロック図である。
【図１０】本発明の第３の実施の形態に係るコンテンツ配信システムにおいて実行される処理の一例を示すフローチャートである。
【発明を実施するための形態】
【００１３】
〔実施形態１〕
図１〜図５に基づいて、本発明の第１の実施の形態（実施形態１）を説明する。
【００１４】
（コンテンツ配信システム４０の概要）
図３に基づいて、コンテンツ配信システム４０の概要を説明する。図３は、コンテンツ配信システム４０の概要を示す概略図である。図３に示されるように、本実施の形態に係るコンテンツ配信システム４０は、スマートフォン１０、サーバ２０、およびテレビジョン受像機（以下、単に「テレビ」と称する）３０を含む。
【００１５】
スマートフォン（通信装置）１０は、所定のコンテンツを受信可能な情報処理装置である。また、サーバ２０は、スマートフォン１０に上記所定のコンテンツを配信する汎用計算機である。なお、スマートフォン１０およびサーバ２０と同等の機能は、携帯電話、パーソナルコンピュータ、タブレット型端末などでも実現できる。すなわち、必要な情報を入出力可能な装置でありさえすれば、当該装置はスマートフォンや汎用計算機でなくともよい。
【００１６】
スマートフォン１０による送信要求６ａに応じて、当該スマートフォン１０にインストールされた所定のアプリケーション（以下「スマホアプリ」と称する）に、サーバ２０からコンテンツ１ａが配信される。ここで、コンテンツ１ａは、インターネット、テレビジョン放送、ケーブルテレビなどの情報インフラから提供される個々の情報をいい、映像、画像、音楽、音声、文章、文字、数式、数字、記号、またはこれらの組み合わせなどをすべて含む。なお、コンテンツ１ａは、コンテンツデータとコンテンツ情報とを含む（図４を参照して後述する）。
【００１７】
スマートフォン１０は、サーバ２０にコンテンツ１ａの送信要求６ａを送信する。当該サーバ２０は、当該送信要求６ａに応じて、当該スマートフォン１０に少なくとも１つのコンテンツ１ａを送信する。ここで、サーバ２０から送信された上記コンテンツ１ａには、テレビ３０が設置された環境によっては、当該テレビ３０が備えた所定の表示面に表示することが好ましくないもの（成人向けのコンテンツ、暴力的な内容を含むコンテンツ、特定の思想に偏った内容を含むコンテンツ、その他社会通念上好ましくないと考えられるコンテンツなど）が含まれ得る。例えば、テレビ３０が家庭のリビングに設置されており、当該家庭の子供や訪問客を含む多数の人が視聴するもの（家庭内においてパブリックな用途を有するもの）である場合、暴力的なシーンが頻出するコンテンツ（年齢制限が加えられたビデオゲームなど）が、当該テレビ３０に表示されることは好ましくない。
【００１８】
そこで、スマートフォン１０は、テレビ３０を一意に識別可能な識別情報２を当該テレビ３０から取得し、当該識別情報２に応じて予め定められた規則にしたがって、コンテンツ１ａをフィルタリングする（少なくとも１つのコンテンツ１ａから、テレビ３０に表示されることが好ましくないものを除外する）。そして、スマートフォン１０は、フィルタリングした後のコンテンツ１ｂを、許可コンテンツ１ｃとして少なくとも１つ選択し、当該許可コンテンツ１ｃをテレビ３０に送出する。テレビ３０は、表示されることが許可された許可コンテンツ１ｃを、上記表示面に表示する（例えば、図３に示されるように、テレビ３０は、テレビジョン番組に重畳させてスマートフォン１０の表示画面を含む許可コンテンツ１ｃを表示してよい）。これにより、スマートフォン１０は、上述した好ましくない事態を回避して、ユーザの利便性を向上させることができる。
【００１９】
（スマートフォン１０の構成）
図１に基づいて、スマートフォン１０の構成を説明する。図１は、スマートフォン１０の要部構成を示すブロック図である。なお、記載の簡潔性を担保するため、本実施の形態に直接関係のない構成（電話回線を利用して通話を実現する部分など）は、説明およびブロック図から省略されている。ただし、実施の実情に則して、スマートフォン１０は、当該省略された構成を備えてもよい。図１に示されるように、スマートフォン１０は、通信部６０ａ、受信部６１ａ、送信部６２ａ、制御部１５ａ、識別情報取得部５１、フィルタリング部５２ａ、コンテンツ取得部５３、コンテンツ送出部５４ａ、記憶部８０ａ、および表示部７０を備えている。
【００２０】
通信部６０ａは、所定の通信方式にしたがう通信網を介して他の装置と通信する。当該他の装置との通信を実現する本質的な機能が備わってさえいればよく、通信回線、通信方式、または通信媒体などは限定されない。また、当該他の装置のそれぞれに対する通信において通信回線、通信方式、または通信媒体が同一であってもよいし、異なっていてもよい。通信部６０ａは、例えばイーサネット（登録商標）アダプタなどの機器で構成できる。また、通信部６０ａは、例えばIEEE802.11無線通信、Bluetooth（登録商標）、３Ｇ（3rd generation）通信、ＬＴＥ（Long Term Evolution）などの通信方式や通信媒体を利用できる。通信部６０ａは、送信部６２ａと受信部６１ａとを含む。
【００２１】
受信部６１ａは、上記通信網を介してサーバ２０と通信することによって、当該サーバ２０からコンテンツ１ａを受信する。受信部６１ａは、受信したコンテンツ１ａをフィルタリング部５２ａに出力する。同様に、受信部６１ａはテレビ３０と通信することによって当該テレビ３０から識別情報２を受信し、受信した識別情報２を識別情報取得部５１に出力する。
【００２２】
送信部６２ａは、コンテンツ送出部５４ａから許可コンテンツ１ｃが入力された場合、上記通信網を介してテレビ３０と通信することによって、当該テレビ３０に当該許可コンテンツ１ｃを送信する。同様に、送信部６２ａは、識別情報取得部５１から送信要求６ｂが入力された場合、当該テレビ３０に送信要求６ｂを送信する。また、送信部６２ａは、コンテンツ取得部５３から送信要求６ａが入力された場合、サーバ２０と通信することによって当該サーバ２０に送信要求６ａ送信する。
【００２３】
制御部１５ａは、スマートフォン１０の各種機能を統括的に制御するものである。制御部１５ａは、識別情報取得部５１、フィルタリング部５２ａ、コンテンツ取得部５３、およびコンテンツ送出部５４ａを含む。
【００２４】
識別情報取得部（識別情報取得手段）５１は、スマートフォン１０と通信可能に接続されたテレビ３０から、当該テレビ３０を識別可能な識別情報２を取得する。具体的には、識別情報取得部５１は、送信要求６ｂを送信部６２ａに出力することによって、テレビ３０に当該送信要求６ｂを送信する。受信部６１ａから識別情報２が入力されると、識別情報取得部５１は、当該識別情報２をフィルタリング部５２ａに出力する。
【００２５】
フィルタリング部（第１の許否判定手段）５２ａは、受信部６１ａからコンテンツ１ａが入力された場合、識別情報取得部５１から入力された識別情報２により識別されるテレビ３０において表示されることが許可されているか否かを、コンテンツ１ａごとに判定する。そして、フィルタリング部５２ａは、許可されていると判定されたコンテンツであるコンテンツ１ｂを、コンテンツ取得部５３に出力する。なお、フィルタリング部５２ａが実行する処理の具体例は、図４を参照して後で詳細に説明される。
【００２６】
コンテンツ取得部（コンテンツ取得手段）５３は、フィルタリング部５２ａによって許可されていると判定されたコンテンツ１ｂを、許可コンテンツ１ｃとして取得する。具体的には、コンテンツ取得部５３は、送信要求６ａを送信部６２ａに出力することによって、サーバ２０に当該送信要求６ａを送信する。これにより、受信部６１ａを介して、コンテンツ１ａがフィルタリング部５２ａに入力される。フィルタリング部５２ａからコンテンツ１ｂが入力されると、コンテンツ取得部５３は、当該コンテンツ１ｂを許可コンテンツ１ｃとしてコンテンツ送出部５４ａに出力する。
【００２７】
コンテンツ送出部（第１のコンテンツ送出手段）５４ａは、コンテンツ取得部５３によって取得された許可コンテンツ１ｃを、テレビ３０に送出する。具体的には、コンテンツ取得部５３から許可コンテンツ１ｃが入力された場合、コンテンツ送出部５４ａは、当該許可コンテンツ１ｃを送信部６２ａおよび表示部７０に出力する。
【００２８】
記憶部８０ａは、コンテンツ１ａ、許可コンテンツ１ｃ、識別情報２、および許可設定テーブル（図４参照）を格納可能な記憶機器である。記憶部８０ａは、例えばハードディスク、ＳＳＤ（silicon state drive）、半導体メモリ、ＤＶＤなどで構成できる。また、表示部７０は、コンテンツ送出部５４ａから入力された許可コンテンツ１ｃを表示する表示装置である（例えば液晶ディスプレイなど）。
【００２９】
（サーバ２０の構成）
図２に基づいて、サーバ２０の構成を説明する。図２は、サーバ２０の要部構成を示すブロック図である。図１と同様に、本実施の形態に直接関係のない構成は、説明およびブロック図から省略されている。図２に示されるように、サーバ２０は、通信部６０ｂ、受信部６１ｂ、送信部６２ｂ、制御部１５ｂ、コンテンツ送出部５４ｂ、および記憶部８０ｂを備えている。
【００３０】
通信部６０ｂは、所定の通信方式にしたがう通信網を介して他の装置と通信する。前述した通信部６０ａと同様の機能を有するため、説明を省略する。通信部６０ｂは、送信部６２ｂと受信部６１ｂとを含む。
【００３１】
受信部６１ｂは、上記通信網を介してスマートフォン１０と通信することによって、当該スマートフォン１０から送信要求６ａを受信する。受信部６１ｂは、受信した送信要求６ａをコンテンツ送出部５４ａに出力する。送信部６２ｂは、コンテンツ送出部５４ｂからコンテンツ１ａが入力された場合、上記通信網を介してスマートフォン１０と通信することによって、当該スマートフォン１０に当該コンテンツ１ａを送信する。
【００３２】
制御部１５ｂは、サーバ２０の各種機能を統括的に制御するものである。制御部１５ｂは、コンテンツ送出部５４ｂを含む。コンテンツ送出部５４ｂは、受信部６１ｂから送信要求６ａが入力された場合、記憶部８０ｂからコンテンツ１ａを読み出し、当該コンテンツ１ａを送信部６２ｂに出力する。なお、記憶部８０ｂは、コンテンツ１ａを格納可能な記憶機器である。記憶部８０ａと同様の機能を有するため、説明を省略する。
【００３３】
（フィルタリング部５２ａが実行する処理の具体例）
図４に基づいて、スマートフォン１０が備えたフィルタリング部５２ａが実行する処理の具体例を説明する。図４は、スマートフォン１０が用いる各種テーブルの具体例を示す表であり、（ａ）は、コンテンツ１に含まれるコンテンツ情報を格納するテーブルの一例を示し、（ｂ）は、テレビ３０を識別可能な識別情報２を格納するテーブルの一例を示す。図４の（ｃ）は、スマートフォン１０が備えた記憶部８０ａに格納されている許可設定テーブルの一例を示し、（ｄ）は、テレビ３０において現在表示されているコンテンツのコンテンツ情報を格納するテーブルの一例を示す。
【００３４】
前述したように、スマートフォン１０から送信される送信要求６ａに応答して、サーバ２０が当該スマートフォン１０に送信するコンテンツ１ａは、コンテンツ情報とコンテンツデータとを含む。ここで、コンテンツ情報は、コンテンツ１ａを一意に識別可能なコンテンツＩＤ、当該コンテンツ１ａが属するジャンル、および上記コンテンツデータのファイル名（コンテンツファイル名）を少なくとも含む情報である。また、コンテンツデータは、コンテンツ１ａのデータ（当該コンテンツ１ａが静止画である場合は、例えばＰＮＧデータでよいし、動画である場合は、例えばＭＰＥＧデータでよい）である。図４の（ａ）に示されるように、コンテンツ情報は、所定のテーブルの各行に格納されている。
【００３５】
スマートフォン１０から送信される送信要求６ｂに応答して、テレビ３０は当該スマートフォン１０に識別情報２を送信する。ここで、識別情報２は、当該テレビ３０を一意に識別可能な情報であり、例えばテレビＩＤ、ＭＡＣアドレス、テレビ製造番号、またはこれらの任意の組み合わせを含んでよい。図４の（ｂ）において、識別情報２は上記で例示した情報をすべて含んでおり、所定のテーブルの各行に格納されている。
【００３６】
図４の（ｃ）に例示される許可設定テーブルは、あらかじめ記憶部８０ａに格納されている。上記許可設定テーブルの各行には、許可情報４が格納されている。ここで、許可情報４は、上記識別情報２によって識別されるテレビ３０において、所定のコンテンツが表示されることが許可されていることを示す情報であり、例えばテレビＩＤ、コンテンツが属するジャンル、および、所定のテレビＩＤを有するテレビが、所定のジャンルに属するコンテンツを表示することが許可されているか否かを示すフラグを含む。
【００３７】
フィルタリング部５２ａは、テレビ３０からＭＡＣアドレスが識別情報２（の一部）として取得された場合、図４の（ｂ）に示されるテーブルを参照し、当該ＭＡＣアドレスに対応するテレビＩＤを取得する。次に、フィルタリング部５２ａは図４の（ｃ）に示される許可設定テーブルを参照し、当該テレビＩＤに許可されたジャンル（許可設定テーブルの「許可」の項目が「true」であるジャンル）を特定する。そして、フィルタリング部５２ａは図４の（ａ）に示されるテーブルを参照し、上記ジャンルに属するコンテンツのコンテンツＩＤを抽出する。最後に、フィルタリング部５２ａは、抽出されたコンテンツＩＤの中から少なくとも１つを選択し、当該選択されたコンテンツＩＤを有するコンテンツを、コンテンツ１ｂとしてコンテンツ取得部５３に出力する。
【００３８】
例えば、「00-FF-12-34-56-78」というＭＡＣアドレスが識別情報２として取得された場合、フィルタリング部５２ａは、「１」をテレビＩＤとして取得する（図４の（ｂ）参照）。次に、フィルタリング部５２ａは、テレビＩＤが「１」であるテレビに表示が許可されたコンテンツが属するジャンルとして、「旅行」、「書籍」、および「ＣＤ」を特定する（図４の（ｃ）参照）。そして、フィルタリング部５２ａは、上記ジャンルに属するコンテンツのコンテンツＩＤとして、「1001」、「3002」、および「4010」を抽出する（図４の（ａ）参照）。最後に、フィルタリング部５２ａは、例えば「1001」を選択し、当該コンテンツＩＤを有するコンテンツを、コンテンツ１ｂとしてコンテンツ取得部５３に出力する。なお、上記コンテンツＩＤを選択する方法は任意である。例えば、フィルタリング部５２ａは、毎回ランダムにコンテンツＩＤを選択してもよいし、前回選択したコンテンツＩＤに対応するジャンルとは異なるジャンルのコンテンツＩＤを選択してもよいし、所定の順序でローテーションするようにコンテンツＩＤを選択してもよい。
【００３９】
図４の（ｄ）に示されるように、フィルタリング部５２ａは、選択したコンテンツＩＤ、当該コンテンツＩＤに対応するジャンル、およびコンテンツデータのファイル名を所定のテーブルに格納し、当該テーブルを記憶部８０ａに格納する。当該テーブルは、前述した「前回選択したコンテンツＩＤに対応するジャンルとは異なるジャンルのコンテンツＩＤを選択」する場合に利用され得る。
【００４０】
なお、図４を参照して説明したすべての情報は、図４の（ａ）〜（ｄ）に例示したテーブル以外のデータ形式で保存されてよい。例えば、Ｃ言語の構造体やＪａｖａ（登録商標）のクラスのようなデータ構造を利用して保存され得る。また、前述した「旅行」、「ゲーム」、「書籍」、「ＣＤ」などのジャンルは一例であり、当該一例とは異なるジャンルにコンテンツが分類されていてもよい。さらに、上記した一例ではジャンルを文字列で記述しているが、ジャンルＩＤを定義し、当該ジャンルＩＤと上記文字列とを対応付けたテーブルを参照することによって、ジャンルを特定してもよい。
【００４１】
（コンテンツ配信システム４０において実行される処理）
図５に基づいて、コンテンツ配信システム４０において実行される処理の流れを説明する。図５は、コンテンツ配信システム４０（スマートフォン１０、サーバ２０、テレビ３０）において実行される処理の一例を示すフローチャートである。なお、以下の説明において、カッコ書きの「〜ステップ」は、スマートフォン１０の制御方法の各ステップを表す。
【００４２】
まず、コンテンツ取得部５３が、送信部６２ａを介して送信要求６ａをサーバ２０に送信する（Ｓ１）。当該サーバ２０が上記送信要求６ａを受信すると（Ｓ２）、コンテンツ送出部５４ｂは、送信部６２ｂを介してコンテンツ１ａをスマートフォン１０に送信し（Ｓ３）、フィルタリング部５２ａが、受信部６１ａを介して当該コンテンツ１ａを受信する（Ｓ４）。次に、識別情報取得部５１が、送信部６２ａを介して送信要求６ｂをテレビ３０に送信する（Ｓ５）。当該テレビ３０が上記送信要求６ｂを受信すると（Ｓ６）、テレビ３０は識別情報２をスマートフォン１０に送信し（Ｓ７）、識別情報取得部５１が、受信部６１ａを介して当該識別情報２を取得する（Ｓ８、識別情報取得ステップ）。なお、上記Ｓ１〜Ｓ４とＳ５〜Ｓ８とは、順序が逆でもよい。すなわち、スマートフォン１０は、コンテンツ１ａを取得した後に識別情報２を取得してもよいし、識別情報２を取得した後にコンテンツ１ａを取得してもよい。
【００４３】
次に、フィルタリング部５２ａは、テレビ３０に表示させるコンテンツをフィルタリングする（Ｓ９）。コンテンツ取得部５３は、フィルタリングされた後のコンテンツ１ｂを、許可コンテンツ１ｃとして取得する（Ｓ１０、コンテンツ取得ステップ）。コンテンツ送出部５４ａは、送信部６２ａを介して、当該許可コンテンツ１ｃをテレビ３０に送出する（Ｓ１１、第１のコンテンツ送出ステップ）。同時に、コンテンツ送出部５４ａは、表示部７０に当該許可コンテンツ１ｃを出力するため、当該許可コンテンツ１ｃが表示部７０に表示される。許可コンテンツ１ｃを受信したテレビ３０は（Ｓ１２）、当該許可コンテンツ１ｃを所定の表示面に表示させる（Ｓ１３）。
【００４４】
〔実施形態２〕
図６〜図８に基づいて、本発明の第２の実施の形態（実施形態２）を説明する。本実施の形態に係るコンテンツ配信システム４１は、スマートフォン１１、サーバ２１、およびテレビ３０を含む。なお、本実施の形態では、実施形態１に追加される構成や、実施形態１の構成とは異なる構成のみについて説明する。すなわち、実施形態１で記載された構成等は、実施形態２にもすべて含まれ得る。また、実施形態１で記載した用語の定義も同じである。
【００４５】
（実施形態１との相違点）
図６に基づいて、スマートフォン１１の構成を説明する。図６は、スマートフォン１１の要部構成を示すブロック図である。なお、記載の簡潔性を担保するため、本実施の形態に直接関係のない構成は、説明およびブロック図から省略されている。ただし、実施の実情に則して、スマートフォン１１は、当該省略された構成を備えてもよい。
【００４６】
図６に示されるように、スマートフォン１１は、スマートフォン１０が備えた制御部１５ａに代えて制御部１６ａを備え、当該制御部１６ａは上記制御部１５ａが備えたフィルタリング部５２ａを備えていない。すなわち、実施形態１においては、サーバ２０から受信したコンテンツ１ａをフィルタリングしてコンテンツ１ｂとし、当該コンテンツ１ｂを許可コンテンツ１ｃとする処理を、スマートフォン１０が実行していた。一方、実施形態２においては、上記フィルタリングに関する処理をサーバ２１（図７を参照して後述する）が実行し、スマートフォン１１は許可コンテンツ１ｃを当該サーバ２１から取得する。
【００４７】
識別情報取得部（識別情報取得手段）５１は、スマートフォン１０と通信可能に接続されたテレビ３０から、当該テレビ３０を識別可能な識別情報２を取得する。具体的には、識別情報取得部５１は、送信要求６ｂを送信部６２ａに出力することによって、テレビ３０に当該送信要求６ｂを送信する。受信部６１ａから識別情報２が入力されると、識別情報取得部５１は、当該識別情報２をコンテンツ取得部５３に出力する。
【００４８】
コンテンツ取得部（コンテンツ取得手段）５３は、識別情報取得部５１によって取得された識別情報２により識別されるテレビ３０において、表示されることが許可されているコンテンツを、許可コンテンツ１ｃとして取得する。具体的には、コンテンツ取得部５３は、送信要求６ａを送信部６２ａに出力することによって、サーバ２１に当該送信要求６ａを送信する。このとき、コンテンツ取得部５３は、当該テレビ３０において表示されることが許可されているコンテンツを示す許可情報４を、パラメータとして当該送信要求６ａに付加して送信する。受信部６１ａを介してサーバ２１から許可コンテンツ１ｃを取得すると、コンテンツ取得部５３は、当該許可コンテンツ１ｃをコンテンツ送出部５４ａに出力する。
【００４９】
例えば、「00-FF-12-34-56-78」というＭＡＣアドレスが識別情報２として取得された場合、コンテンツ取得部５３は、「１」をテレビＩＤとして取得する（図４の（ｂ）参照）。次に、コンテンツ取得部５３は、テレビＩＤが「１」であるテレビに表示が許可されたコンテンツが属するジャンルとして、「旅行」、「書籍」、および「ＣＤ」を特定する（図４の（ｃ）参照）。コンテンツ取得部５３は、特定された上記ジャンル（許可情報４）を送信要求６ａのパラメータとして、当該送信要求６ａと共にサーバ２１に送信する。
【００５０】
図７に基づいて、サーバ２１の構成を説明する。図７は、サーバ２１の要部構成を示すブロック図である。図６と同様に、本実施の形態に直接関係のない構成は、説明およびブロック図から省略されている。図７に示されるように、サーバ２１は、サーバ２０が備えた制御部１５ｂに代えて制御部１６ｂを備え、当該制御部１６ｂは上記制御部１５ｂが備えた構成に加えて、許可情報取得部５６、およびフィルタリング部５２ｂをさらに備えている。
【００５１】
許可情報取得部（許可情報取得手段）５６は、サーバ２１と通信可能に接続されたスマートフォン１１から、当該スマートフォン１１と通信可能に接続されたテレビ３０において、所定のコンテンツを表示することが許可されているか否かを示す許可情報４を取得する。具体的には、受信部６１ｂから送信要求６ａが入力された場合、許可情報取得部５６は、当該送信要求６ａにパラメータとして含まれる許可情報４を抽出し、抽出した許可情報４をフィルタリング部５２ｂに出力する。
【００５２】
フィルタリング部（第２の許否判定手段）５２ｂは、許可情報取得部５６によって取得された許可情報４により許可されていることが示される場合、コンテンツ１ａを許可コンテンツ１ｃと判定する。具体的には、許可情報取得部５６から許可情報４が入力された場合、フィルタリング部５２ｂは、コンテンツ１ａを記憶部８０ｂから読み出し、当該許可情報４に基づいて、読み出したコンテンツ１ａがテレビ３０において表示されることが許可されているか否かを判定する。フィルタリング部５２ｂは、許可されていると判定されたコンテンツを、許可コンテンツ１ｃとして選択し、当該許可コンテンツ１ｃをコンテンツ送出部５４ｂに出力する。
【００５３】
コンテンツ送出部（第２のコンテンツ送出手段）５４ｂは、フィルタリング部５２ｂから許可コンテンツ１ｃが入力された場合、当該許可コンテンツ１ｃを送信部６２ｂに出力する。すなわち、コンテンツ送出部５４ｂは、送信部６２ｂを介し、フィルタリング部５２ｂにより判定された許可コンテンツ１ｃを、スマートフォン１１に送出する。
【００５４】
（コンテンツ配信システム４１において実行される処理）
図８に基づいて、コンテンツ配信システム４１において実行される処理の流れを説明する。図８は、コンテンツ配信システム４１（スマートフォン１１、サーバ２１、テレビ３０）において実行される処理の一例を示すフローチャートである。なお、図８において、図５を参照して説明した処理と同一の処理の説明は、先と同一の符号を振ることにより省略されるため、以下ではＳ１４〜Ｓ１８の処理のみが説明される。
【００５５】
コンテンツ取得部５３は、許可情報４をパラメータとして送信要求６ａに付加し（Ｓ１４）、送信部６２ａを介して当該送信要求６ａをサーバ２１に送信する（Ｓ１）。許可情報取得部５６が、送信要求６ａから許可情報４を抽出し（Ｓ１５）、フィルタリング部５２ｂが、当該許可情報４に基づいて、読み出したコンテンツ１ａがテレビ３０において表示されることが許可されているか否かを判定する（Ｓ１６）。コンテンツ送出部５４ｂは、当該判定された許可コンテンツ１ｃを、送信部６２ｂを介してスマートフォン１１に送出する（Ｓ１７）。コンテンツ取得部５３は、受信部６１ａを介して当該許可コンテンツ１ｃを取得する（Ｓ１８、コンテンツ取得ステップ）。
【００５６】
〔実施形態３〕
図９〜図１０に基づいて、本発明の第３の実施の形態（実施形態３）を説明する。本実施の形態に係るコンテンツ配信システム４２は、スマートフォン１２、サーバ２０、およびテレビ３０を含む。本実施の形態では、実施形態１または実施形態２に追加される構成や、実施形態１または実施形態２の構成とは異なる構成のみについて説明する。すなわち、実施形態１または実施形態２で記載された構成等は、実施形態３にもすべて含まれ得る。また、実施形態１または実施形態２で記載した用語の定義も同じである。
【００５７】
（実施形態１または実施形態２との相違点）
図９に基づいて、スマートフォン１２の構成を説明する。図９は、スマートフォン１２の要部構成を示すブロック図である。なお、記載の簡潔性を担保するため、本実施の形態に直接関係のない構成は、説明およびブロック図から省略されている。ただし、実施の実情に則して、スマートフォン１２は、当該省略された構成を備えてもよい。図９に示されるように、スマートフォン１２は、スマートフォン１０が備えた制御部１５ａに代えて制御部１７ａを備え、当該制御部１７ａは上記制御部１５ａが備えた構成に加えて、識別情報送出部５５をさらに備えている。
【００５８】
識別情報送出部（識別情報送出手段）５５は、コンテンツ送出部５４ａによってテレビ３０に送出された許可コンテンツ１ｃを識別可能なコンテンツ識別情報７を、所定のサーバ（例えば、サーバ２０）に送出する。具体的には、コンテンツ送出部５４ａから許可コンテンツ１ｃが入力された場合、識別情報送出部５５は、当該許可コンテンツ１ｃに含まれるコンテンツ情報のうち任意の１つ（例えば、コンテンツＩＤ）を、コンテンツ識別情報７として送信部６２ａに出力する。これにより、サーバ２０は、テレビ３０に実際に表示されたコンテンツを特定できる。
【００５９】
なお、図９において、本実施の形態に係るスマートフォン１２は、実施形態１に係るスマートフォン１０に識別情報送出部５５をさらに備えたものとして説明したが、実施形態２に係るスマートフォン１１に識別情報送出部５５をさらに備えたものであってもよい。この場合、スマートフォン１２は、サーバ２１から取得した許可コンテンツ１ｃを識別可能なコンテンツ識別情報７を、当該サーバ２１に送り返す。また、識別情報送出部５５は、当該コンテンツ識別情報７を任意のサーバに送出することができる。すなわち、サーバ２０（またはサーバ２１）がテレビ３０に実際に表示されたコンテンツを特定できさえすれば、識別情報送出部５５がコンテンツ識別情報７を送出する先は限定されない。
【００６０】
（コンテンツ配信システム４２において実行される処理）
図１０に基づいて、コンテンツ配信システム４２において実行される処理の流れを説明する。図１０は、コンテンツ配信システム４２（スマートフォン１２、サーバ２０、テレビ３０）において実行される処理の一例を示すフローチャートである。なお、図１０において、図５を参照して説明した処理と同一の処理の説明は、先と同一の符号を振ることにより省略されるため、以下ではＳ１９〜Ｓ２０の処理のみが説明される。
【００６１】
コンテンツ送出部５４ａが、送信部６２ａを介して、許可コンテンツ１ｃをテレビ３０に送出した後（Ｓ１１）、識別情報送出部５５は、当該許可コンテンツ１ｃを識別可能なコンテンツ識別情報７を、所定のサーバ（例えば、サーバ２０）に送出する（Ｓ１９）。サーバ２０は、当該コンテンツ識別情報７を受信する（Ｓ２０）。
【００６２】
〔実施形態４〕
本発明の第４の実施の形態（実施形態４）を説明する。本実施の形態に係るコンテンツ配信システム４３は、スマートフォン１３、サーバ２０またはサーバ２１、およびテレビ３０を含む。本実施の形態では、実施形態１、実施形態２、または実施形態３に追加される構成や、実施形態１、実施形態２、または実施形態３の構成とは異なる構成のみについて説明する。すなわち、実施形態１、実施形態２、または実施形態３で記載された構成等は、実施形態４にもすべて含まれ得る。また、実施形態１、実施形態２、または実施形態３で記載した用語の定義も同じである。
【００６３】
（実施形態１、実施形態２、または実施形態３との相違点）
まず、スマートフォン１３が、前述したスマートフォン１０またはスマートフォン１２と同じ構成を備えており、テレビ３０において表示されることが許可されていないコンテンツ１ａが、スマートフォン１３が備えた表示部７０に表示された状態で、当該スマートフォン１３とテレビ３０とが通信可能に接続された場合を考える。
【００６４】
この場合、フィルタリング部５２ａは、テレビ３０がスマートフォン１３に接続されたことを検知すると、表示部７０に現在表示されているコンテンツ１ａが、当該スマートフォン１３において表示されることが許可されているか否かを判定する。許可されていないと判定される場合、コンテンツ取得部５３は、送信部６２ａを介してサーバ２０に送信要求６ａを送信することにより、少なくとも１つのコンテンツ１ａを取得する。
【００６５】
フィルタリング部５２ａが、接続されたテレビ３０のフィルタ条件（許可情報４、図４の（ｃ）参照）に基づいて、当該テレビ３０において表示されることが許可された別のコンテンツ１ｂを選択すると、コンテンツ取得部５３は当該コンテンツ１ｂを、許可コンテンツ１ｃとして取得する。そして、コンテンツ送出部５４ａは、当該許可コンテンツ１ｃをテレビ３０に表示させるために、テレビ３０に送出する。同時に、コンテンツ送出部５４ａは、当該許可コンテンツ１ｃを表示部７０に表示させる。このとき、識別情報送出部５５がコンテンツ識別情報７をサーバ２０に送出することによって、許可コンテンツ１ｃが表示されたことを当該サーバ２０に通知してもよい。
【００６６】
なお、テレビ３０に許可コンテンツ１ｃを映す処理を、スマートフォン１３のＯＳが実行し、スマホアプリは実行しない。すなわち、上記ＯＳがスマートフォン１３の表示画面（許可コンテンツ１ｃ）をテレビ３０に表示するまでに、スマホアプリ（識別情報取得部５１、フィルタリング部５２ａ、コンテンツ取得部５３、コンテンツ送出部５４ａ、識別情報送出部５５）がそれぞれの処理を完了するように、当該スマートフォン１３が実装されることが好ましい。また、許可コンテンツ１ｃが表示されたことを、識別情報送出部５５がサーバ２０に通知する処理と、コンテンツ送出部５４ａが許可コンテンツ１ｃを表示部７０に表示させる処理とは、順序が入れ替わってもよい。
【００６７】
次に、スマートフォン１３が、前述したスマートフォン１１と同じ構成を備えており、テレビ３０において表示されることが許可されていないコンテンツ１ａが、スマートフォン１３が備えた表示部７０に表示された状態で、当該スマートフォン１３とテレビ３０とが通信可能に接続された場合を考える。
【００６８】
この場合、コンテンツ取得部５３は、テレビ３０がスマートフォン１３に接続されたことを検知すると、当該テレビ３０のフィルタ条件（許可情報４、図４の（ｃ）参照）に、許可されないものが含まれるか否かを判定する。許可されないものが含まれると判定される場合、コンテンツ送出部５４ａが、表示部７０に表示しているコンテンツを非表示にする（例えば、「お待ちください」という文字列を表示するなど、一時的な非表示状態を示す画面を出力する）とともに、当該非表示の画面をテレビ３０に送出することによって、当該非表示の画面を当該テレビ３０に表示させる。
【００６９】
コンテンツ取得部５３は、送信要求６ａを送信部６２ａに出力することによって、サーバ２１に当該送信要求６ａを送信する。このとき、コンテンツ取得部５３は、当該テレビ３０において表示されることが許可されているコンテンツを示す許可情報４を、パラメータとして当該送信要求６ａに付加して送信する。受信部６１ａを介してサーバ２１から許可コンテンツ１ｃを取得すると、コンテンツ取得部５３は、当該許可コンテンツ１ｃをコンテンツ送出部５４ａに出力する。そして、コンテンツ送出部５４ａは、当該許可コンテンツ１ｃをテレビ３０に表示させるために、テレビ３０に送出する。同時に、コンテンツ送出部５４ａは、当該許可コンテンツ１ｃを表示部７０に表示させる。このとき、識別情報送出部５５がコンテンツ識別情報７をサーバ２１に送出することによって、許可コンテンツ１ｃが表示されたことを当該サーバ２１に通知してもよい。
【００７０】
〔実施形態５〕
スマートフォン１０〜１３の制御ブロック（特に、制御部１５ａ〜１７ａ、制御部１５ｂ〜１６ｂ）は、集積回路（ＩＣチップ）等に形成された論理回路（ハードウェア）によって実現してもよいし、ＣＰＵ（Central Processing Unit）を用いてソフトウェアによって実現してもよい。
【００７１】
後者の場合、スマートフォン１０〜１３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体として、「一時的でない有形の媒体」、例えば、テープ、ディスク、カード、半導体メモリ、プログラマブルな論理回路などが用いられ得る。また、上記プログラムは、当該プログラムを伝送可能な任意の伝送媒体（通信ネットワークや放送波など）を介して上記コンピュータに供給されてもよい。本発明は、上記プログラムが電子的な伝送によって具現化された、搬送波に埋め込まれたデータ信号の形態でも実現され得る。
【００７２】
〔まとめ〕
本発明の態様１に係る通信装置（スマートフォン１０〜１３）は、
（１）所定のコンテンツを受信可能な通信装置であって、
（２）当該通信装置と通信可能に接続された表示装置（テレビ３０）から、当該表示装置を識別可能な識別情報を取得する識別情報取得手段（識別情報取得部５１）と、
（３）前記識別情報取得手段によって取得された識別情報により識別される表示装置において、表示されることが許可されているコンテンツを、許可コンテンツとして取得するコンテンツ取得手段（コンテンツ取得部５３）と、
（４）前記コンテンツ取得手段によって取得された許可コンテンツを、前記表示装置に送出する第１のコンテンツ送出手段（コンテンツ送出部５４ａ）とを備えている。
【００７３】
また、本発明の態様１に係る通信装置の制御方法は、
（１）所定のコンテンツを受信可能な通信装置の制御方法であって、
（２）当該通信装置と通信可能に接続された表示装置から、当該表示装置を識別可能な識別情報を取得する識別情報取得ステップ（Ｓ８）と、
（３）前記識別情報取得ステップにおいて取得した識別情報により識別される表示装置において、表示されることが許可されているコンテンツを、許可コンテンツとして取得するコンテンツ取得ステップ（Ｓ１０、Ｓ１８）と、
（４）前記コンテンツ取得ステップにおいて取得した許可コンテンツを、前記表示装置に送出する第１のコンテンツ送出ステップ（Ｓ１１）とを含んでいる。
【００７４】
通信装置に配信されたコンテンツを表示装置に表示させるシステムにおいて、家庭内においてパブリックな用途を有する表示装置に不適切な内容を含むコンテンツ（例えば、成人向けのコンテンツ、暴力的な内容を含むコンテンツ、特定の思想に偏った内容を含むコンテンツ、その他社会通念上好ましくないと考えられるコンテンツなど）をそのまま表示させることは、好ましくない場合がある。
【００７５】
上記構成によれば、本発明の態様１に係る通信装置および当該装置の制御方法は、サーバから配信されたコンテンツをそのまま表示させるのではなく、上記表示装置に応じて予め定められた規則にしたがって、フィルタリングされたもの（少なくとも１つのコンテンツから、当該表示装置に表示されることが好ましくないものが除外されたもの）を、許可コンテンツとして当該表示装置に表示させるために送出できる。
【００７６】
これにより、上記通信装置および当該装置の制御方法は、上記表示装置が設置された環境において表示されることが好ましくないコンテンツを除外することによって、上記コンテンツが表示されるという事態を回避して、ユーザの利便性を向上させることができる。
【００７７】
また、本発明の態様２に係る通信装置は、上記態様１において、
（１）前記識別情報取得手段によって取得された識別情報により識別される表示装置において表示されることが許可されているか否かを、コンテンツごとに判定する第１の許否判定手段（フィルタリング部５２ａ）をさらに備え、
（２）前記コンテンツ取得手段は、前記第１の許否判定手段によって許可されていると判定されたコンテンツを、前記許可コンテンツとして取得してよい。
【００７８】
上記構成によれば、本発明の態様２に係る通信装置は、サーバから配信されたコンテンツをそのまま表示させるのではなく、上記表示装置に応じて予め定められた規則にしたがって、コンテンツをフィルタリングし（少なくとも１つのコンテンツから、当該表示装置に表示されることが好ましくないものを除外し）、フィルタリング後の許可コンテンツを当該表示装置に表示させるために送出できる。
【００７９】
これにより、上記通信装置は、上記表示装置が設置された環境において表示されることが好ましくないコンテンツを除外することによって、上記コンテンツが表示されるという事態を回避して、ユーザの利便性を向上させることができる。
【００８０】
また、本発明の態様３に係る通信装置は、上記態様２において、
（１）前記第１の許否判定手段は、前記表示装置が通信可能に接続された時、前記通信装置が備えた表示部に現在表示されているコンテンツが、当該表示装置において表示されることが許可されているか否かを判定し、
（２）前記コンテンツ取得手段は、前記第１の許否判定手段によって許可されていないと判定される場合、当該表示装置において表示されることが許可されているコンテンツを、許可コンテンツとして取得し、
（３）前記第１のコンテンツ送出手段は、前記コンテンツ取得手段によって取得された許可コンテンツを前記表示装置に表示させるために、当該許可コンテンツを当該表示装置に送出してよい。
【００８１】
上記構成によれば、ユーザが本発明の態様３に係る通信装置にコンテンツを表示させた状態で、当該通信装置を上記表示装置に接続した場合であって、上記コンテンツが当該表示装置において表示されることが許可されていない場合であっても、上記通信装置は、当該表示装置に応じて予め定められた規則にしたがって、コンテンツをフィルタリングし、フィルタリング後の許可コンテンツを当該表示装置に表示させるために送出できる。
【００８２】
これにより、上記通信装置は、上記表示装置が設置された環境において表示されることが好ましくないコンテンツを除外することによって、上記コンテンツが表示されるという事態を回避して、ユーザの利便性を向上させることができる。
【００８３】
また、本発明の態様４に係る通信装置は、上記態様１から態様３のいずれか１つの態様において、
（１）前記第１のコンテンツ送出手段によって送出された許可コンテンツを識別可能なコンテンツ識別情報を、所定の外部装置に送出する識別情報送出手段（識別情報送出部５５）をさらに備えてよい。
【００８４】
上記構成によれば、本発明の態様４に係る通信装置は、上記コンテンツ識別情報を上記所定のサーバに送出するため、当該所定のサーバは、上記表示装置に表示されているコンテンツを特定できる。
【００８５】
本発明の態様１に係るサーバは、
（１）所定のコンテンツを配信可能なサーバであって、
（２）当該サーバと通信可能に接続された通信装置から、当該通信装置と通信可能に接続された表示装置において、所定のコンテンツを表示することが許可されていることを示す許可情報を取得する許可情報取得手段（許可情報取得部５６）と、
（３）前記許可情報取得手段によって取得された許可情報により許可されていることが示される場合、前記所定のコンテンツを許可コンテンツと判定する第２の許否判定手段（フィルタリング部５２ｂ）と、
（４）前記第２の許否判定手段によって判定された許可コンテンツを、前記通信装置に送出する第２のコンテンツ送出手段（コンテンツ送出部５４ｂ）とを備えている。
【００８６】
上記構成によれば、本発明の態様１に係るサーバは、上記表示装置に応じて予め定められた規則にしたがって、コンテンツをフィルタリングし（少なくとも１つのコンテンツから、当該表示装置に表示されることが好ましくないものを除外し）、フィルタリング後の許可コンテンツを当該表示装置に表示させるために、上記通信装置に送出できる。
【００８７】
これにより、上記サーバは、上記表示装置が設置された環境において表示されることが好ましくないコンテンツを除外することによって、上記コンテンツが表示されるという事態を回避して、ユーザの利便性を向上させることができる。
【００８８】
本発明の態様６に係るコンテンツ配信システムは、
（１）上記態様１から４のいずれか１つの態様の通信装置と、
（２）上記態様１のサーバと、
（３）前記通信装置と通信可能に接続され、前記サーバから配信されたコンテンツを表示可能な表示面を備えた表示装置とを含んでよい。
【００８９】
したがって、本発明の態様６に係るコンテンツ配信システムは、上記通信装置および上記サーバと同じ効果を奏する。
【００９０】
本発明の各態様に係る通信装置は、コンピュータによって実現されてもよく、この場合、コンピュータを上記通信装置が備えた各手段として動作させることにより、上記通信装置をコンピュータにおいて実現させる通信装置の制御プログラム、およびそれを記録したコンピュータ読み取り可能な記録媒体も、本発明の範疇に入る。
【００９１】
本発明は上述したそれぞれの実施の形態に限定されるものではなく、請求項に示した範囲で種々の変更が可能であり、異なる実施の形態にそれぞれ開示された技術的手段を適宜組み合わせて得られる実施の形態についても、本発明の技術的範囲に含まれる。さらに、各実施の形態にそれぞれ開示された技術的手段を組み合わせることにより、新しい技術的特徴を形成できる。
【産業上の利用可能性】
【００９２】
本発明は、スマートフォン、携帯電話、パーソナルコンピュータ、タブレット型端末、汎用計算機など、所定のコンテンツを受信可能な通信装置または所定のコンテンツを配信可能なサーバに広く適用することができる。
【符号の説明】
【００９３】
１ａ    コンテンツ（所定のコンテンツ）
１ｂ    コンテンツ（コンテンツ）
１ｃ    許可コンテンツ（許可コンテンツ）
２      識別情報（識別情報）
４      許可情報
７      コンテンツ識別情報（コンテンツ識別情報）
１０〜１３  スマートフォン（通信装置）
２０〜２１  サーバ
３０      テレビ（表示装置）
４０〜４３  コンテンツ配信システム
５１      識別情報取得部（識別情報取得手段）
５２ａ    フィルタリング部（第１の許否判定手段）
５２ｂ    フィルタリング部（第２の許否判定手段）
５３      コンテンツ取得部（コンテンツ取得手段）
５４ａ    コンテンツ送出部（第１のコンテンツ送出手段）
５４ｂ    コンテンツ送出部（第２のコンテンツ送出手段）
５５      識別情報送出部（識別情報送出手段）
５６      許可情報取得部（許可情報取得手段）
【図１】
2014204400.tif 000003
【図２】
2014204400.tif 000004
【図３】
2014204400.tif 000005
【図４】
2014204400.tif 000006
【図５】
2014204400.tif 000007
【図６】
2014204400.tif 000008
【図７】
2014204400.tif 000009
【図８】
2014204400.tif 000010
【図９】
2014204400.tif 000011
【図１０】
2014204400.tif 000012